(57)【特許請求の範囲】
【請求項１】
ヨークの中心にマグネットを定置すると共に前記マグネットにボイスコイルを巻装し、前記ヨークの周縁を分割して立上げ、その立上げ部の内の対向する２つの立上り部上面に係止手段を設け、前記係止手段に対応する係止手段を設けた振動板を、前記立上り部上に載置して前記各係止手段を介して固定し、前記ヨークがハウジング内において浮上する状態にて、前記振動板を前記ハウジングの蓋部に取り付けて成る骨伝導スピーカ。
【請求項２】
前記立上り部上面に設ける係止手段が係止突起であり、前記振動板に設ける係止手段が前記係止突起が嵌合する切欠きである請求項１に記載の骨伝導スピーカ。
【請求項３】
前記ヨークが円形で、前記各立上り部が断面円弧状に形成される請求項１又は２に記載の骨伝導スピーカ。
【請求項４】
前記振動板が中央開口を有し、この中央開口を跨ぐようにしてプレートヨークが前記振動板上に固定され、前記振動板が前記プレートヨークを介して前記ハウジングの蓋部に取り付けられる請求項１に記載の骨伝導スピーカ。
【発明の詳細な説明】
【０００１】
【発明の属する技術分野】
本発明は骨伝導スピーカ、より詳細には、頭部に当接させて振動板の振動を骨組織に伝達させることにより音声を聴取させるタイプのスピーカに関するものである。
【０００２】
【従来の技術】
従来の骨伝導スピーカとしては、図４に示されるようなものが知られている。それは、上面に振動板２２を備えた円筒ケース２１と、ケース２１内に嵌合される円筒形マグネット２３と、中央に中央磁極２４を有していてケース２１の下部に嵌合されるヨーク２５と、ヨーク２５の中央磁極部２４を取り巻くように配置されるボイスコイル２６とから成る。
【０００３】
この骨伝導スピーカの場合、中央部から順に中央磁極２４、ボイスコイル２６、マグネット２３、ケース２１と同心円的に配置されるので、出力効率を上げるために中央磁極２４の径を大きくし、ボイスコイル２６の巻数を増やすためには、その分その回りを取り囲むマグネット２３とケース２１を大きくしなければならない。従って、その分外径寸法の増加が不可避なものとなる。
【０００４】
このように外径寸法を増加させるという不都合を伴うことなく、出力効率を上昇させることができる骨伝導スピーカとして、ハウジング３０内にボイスコイル３３を巻装する中央磁極３２を有するヨーク３１を配し、ヨーク３１を４方向に延長し、その延長部分の内の相対する２部分３７、３７にそれぞれマグネット３４を配置すると共に、他の２部分３８、３８に振動板固定部３６を立設し、この振動板固定部３６に振動板３５を固定して成る骨伝導スピーカが提唱された（特許第２９６７７７７号公報）。
【０００５】
このようにマグネットを外周部に配置した外磁型の骨伝導スピーカによれば、マグネット３４と振動板固定部３６とを従来のように同心円的に二重に配置することなく、同一円周上に配置することとしているので、これらの設置スペースを半減でき、その分中央磁極３２の径を大きくすると共にボイスコイル３３の巻数を増やすことができ、以て、外径寸法を大きくすることなく効率を上げることが可能となる。
【０００６】
ところで近時、骨伝導スピーカを携帯電話機に組み込む等の用途の拡大から、一層の小型化が要請されている。しかるに、この外磁型骨伝導スピーカの場合、マグネットは外周部に配置されるところ、肉薄のマグネットは強度上並びにコスト上の問題から製造しにくいために、マグネット自体ある程度の大きさのものとならざるを得ないため、この外磁型骨伝導スピーカは小型化といっても、マグネットの大きさによる制約が伴ない、上記一層の小型化の要請に十分に応えることはできない。
【０００７】
また、図６に示すように、マグネット４１を盆状のヨーク４２の中心に配置し、マグネット４１にボイスコイル４３を巻装し、ヨーク４２をハウジング４４内に収め、ハウジング４４の上面において振動板４５の周囲を支持する、いわば内磁型の骨伝導スピーカも考えられる。
【０００８】
しかし、この内磁型の骨伝導スピーカの場合は、ハウジング４４の上面において振動板４５の周囲を支持する構造のため、振動板４５が振動しやすいように支持するためには、ハウジング４４に、ある程度の大きさの径が要求される。従って、この内磁型骨伝導スピーカの場合も、上記一層の小型化の要請に応えることができない。
【０００９】
【発明が解決しようとする課題】
上述したように、従来の各種タイプの骨伝導スピーカは、いずれも、携帯電話機への組み込み等の観点からの小型化の要請に応えることができなかったので、本発明は、かかる要請に応えるべく、効率を落とすことなく従来のものよりも小型化でき、しかも製造が簡便でコストの低廉化をも図り得る骨伝導スピーカを提供することを課題とする。
【００１０】
【課題を解決するための手段】
上記課題を解決するための本発明に係る骨伝導スピーカは、ヨークの中心にマグネットを定置すると共に前記マグネットにボイスコイルを巻装し、前記ヨークの周縁を分割して立上げ、その立上げ部の内の対向する２つの立上り部上面に係止手段を設け、前記係止手段に対応する係止手段を設けた振動板を、前記立上り部上に載置して前記各係止手段を介して固定し、前記ヨークがハウジング内において浮上する状態にて、前記振動板を前記ハウジングの蓋部に取り付けて成る。
【００１１】
好ましくは、前記立上り部上面に設ける係止手段が係止突起とされ、前記振動板に設ける係止手段が前記係止突起が嵌合する切欠きとされる。
【００１２】
【発明の実施の形態】
本発明の実施の形態を添付図面に依拠して説明する。図１は、ハウジング１を含む本発明に係る骨伝導スピーカ全体の構成の縦断面図、図２は、ハウジング１内に収納される振動部及び駆動部の分解斜視図、図３は振動部及び駆動部の組立状態図である。
【００１３】
ハウジング１は、図１において上下に二分割可能にされ、その容部１ａに駆動部が浮上した状態に収納され、その蓋部１ｂに振動部が固定される。
【００１４】
駆動部は、盆状のヨーク２と、ヨーク２の中心に配置されるマグネット３と、マグネット３に巻装されるボイスコイル４とから成る。ヨーク２の周壁は４分割され、その内の対向する２つの立上り部５、５が振動板受けとなり、他の対向する２つの立上り部６、６は磁気回路構成部となる。
【００１５】
振動板７を受ける立上り部５、５の上面には、振動板７の両側に形成される切欠き８、８に嵌合する係止突起９、９が突設される。かくして振動板７は、その切欠き８、８内に係止突起９、９を嵌合するようにして上方からヨーク２上に載せることにより、位置決めできると共に、溶接、接着等のスペースを取らない方法で、ヨーク２上に固定することができる。そのために、本発明に係る骨伝導スピーカは、十分に小型化することが可能となるのである。
【００１６】
振動板７は、円板の４個所にくびれを設けて四方に突出させた形状を呈し、その対向する２つの突出部に上記切欠き８、８が形成され、また、中央部に大きな長方形状の開口１０が形成される。
【００１７】
１１はプレートヨークで、中央開口１０に沿って延び、その両端部が、振動板７の切欠き８、８を設けてない突出部間に載せられて、そこに、溶着、接着等の手段によって固定される。これにより、ヨーク２、マグネット３及びボイスコイル４から成る駆動部と、振動板７及びプレートヨーク１１から成る振動部とが一体化される（図３参照）。
【００１８】
プレートヨーク１１には、通例２個のタップ１２、１２が形成され、そこに、ハウジング１の蓋部１ｂを通して固定ネジ１３、１３がネジ込まれる。かくして、一体化された振動部と駆動部とが、容部１ａの内底面から浮上して蓋部１ｂに吊持された状態にてハウジング１内に組み込まれる（図１参照）。
【００１９】
かかる構成において、駆動部に音声又はオーディオ入力信号が供給されると、振動部に振動が発生し、この振動がハウジング１に有効に伝達されることにより、効率のよい骨伝導スピーカが実現される。
【００２０】
上述した本発明の実施形態はあくまで一例を示すものであって、本発明はこれに限定されるものではないこと勿論であり、例えば、振動板７の軽量化のために適宜肉抜き部１４を設けたり、プレートヨーク１１を１本の固定ネジ１３で蓋部１ｂに固定することとしたり、切欠き８と係止突起９の形状を任意のものとしたりすることが可能である。
【００２１】
また、切欠き８と係止突起９を設ける代わりに、振動板７の裏面に凸部を設け、立上り部５、５の上面にこの凸部に対応する凹部を設け、その凸部と凹部とを嵌合することも考えられる。
【００２２】
【発明の効果】
本発明は上述した通りであって、本発明に係る骨伝導スピーカによれば、ヨーク周縁の立上り部上面と振動板とに設けた係止手段を介して振動板を立上り部上面に固定することとし、また、マグネットをヨークの中心に配置することによって立上り部を薄手に構成可能にすることにより、全体的に小径化することができ、携帯電話等への組み込み等のための小型化の要請に十分に応えることができ、しかも、ボイスコイルの巻数も十分に確保できるため、効率を落とすこともなく、更に、製造が容易でコストの低廉化をも図り得る効果がある。
【図面の簡単な説明】
【図１】本発明に係る骨伝導スピーカの全体構成を示す縦断面図である。
【図２】本発明に係る骨伝導スピーカの振動部と駆動部の分解斜視図である。
【図３】本発明に係る骨伝導スピーカの振動部と駆動部の組立図である。
【図４】従来の骨伝導スピーカの構成図である。
【図５】従来の骨伝導スピーカの他の構成図である。
【図６】従来の骨伝導スピーカの更に他の構成図である。
【符号の説明】
１    ハウジング
１ｂ  蓋部
２    ヨーク
３    マグネット
４    ボイスコイル
５    立上り部
６    立上り部
７    振動板
８    切欠き
９    係止突起
１０    開口
１１    プレートヨーク
１２    タップ
１３    固定ネジ
１４    肉抜き部
【図１】
0003794986.tif 000002
【図２】
0003794986.tif 000003
【図３】
0003794986.tif 000004
【図４】
0003794986.tif 000005
【図５】
0003794986.tif 000006
【図６】
0003794986.tif 000007